(57)【要約】      （修正有）【課題】水などの飲料用液体を、人間が飲む時点で効率的に酸化還元電位を下げ、活性化された状態にするための器具を提供する。【解決手段】通常のボトル５の口に取り付けられ、かつ着脱が容易な筒状物３−１，３−２の中に、トルマリンと、植物燃焼によって生じた灰を含む粒状成型物１を、銀の線あるいは銀メッキした線で作ったかご状容器２−１，２−２に収めて設置することで、ボトルから液体８をそそぐ時に効率的に液体を活性化する。筒状物はボトルの上部に取り付ける場合と、ボトルの内部に取り付ける場合を選択できる。【選択図】図２
0003119457.tif 000002
【実用新案登録請求の範囲】
【請求項１】
通常のボトルの口に着脱可能な筒状物（３−１，３−２）の中に、トルマリンと、植物燃焼によって生じた灰を含む粒状成型物（１）を、銀の線あるいは銀メッキした線で作ったかご状容器（２−１、２−２）に収めて設置することを特徴とする、飲料用液体を活性化するための器具。
【請求項２】
請求項１において、通常のボトルの口に着脱可能な筒状物（３−１，３−２）が銀あるいは銀メッキしたもので作られていることを特徴とする、飲料用液体を活性化するための器具。
【請求項３】
トルマリンと、植物燃焼によって生じた灰を含むものから作られた、内部を液体が通過できるような成型物（４）を、銀あるいは銀を含むもので作られた、通常のボトルの口に着脱可能な筒状物（３−１，３−２）の中に設置することを特徴とする、飲料用液体を活性化するための器具。
【考案の詳細な説明】
【技術分野】
【０００１】
本考案は、水などの飲料用液体を人間の健康増進に結びつけるために活性化する、すなわち液体の酸化還元電位を下げることを効率的に行うための器具に関する。
【背景技術】
【０００２】
水などの飲料用液体の特性を示すものの１つに酸化還元電位の値がある。この値がプラスでその絶対値が大きいほど物質の電子を奪う力、すなわち酸化力が大きいことを意味する。逆に、この値がマイマスでその絶対値が大きいほど、物質に電子を与える力、すなわち還元力が大きいことになる。通常の水道水の酸化還元電位は、プラス６００ｍV前後と高い。これは雑菌などを殺したり、あるいはその繁殖を抑えたりするためには有効であるが、同じく生体である人体に入ると、程度の差はあれ悪影響を及ぼすことになる。
【０００３】
一方、自然水の酸化還元電位は水道水より低く、プラス５００ｍV以下、プラス２００ｍV以上である。また、特別なミネラルウオーターや天然水では、酸化還元電位がさらに低く、２００ｍV以下、場合によっては０ｍV前後のものもある。ただし、地上に出て大気、光、振動などの影響を受けて、実際に人体に入る時には酸化還元電位は上昇することもある。
【０００４】
飲む時点で人体にとって好ましくは酸化還元電位の値が低いこと、たとえばプラス１００ｍV以下、できればマイナス１００ｍV以下であることが望まれる。液体の酸化還元電位を下げることを、ここでは液体の活性化と呼ぶことにする。水を活性化するには、たとえば、トルマリンを用いる方法が知られている。トルマリンは電気石とも呼ばれる鉱石で、圧力をかけたり、温度を上げたりすると微弱な電流が励起される。この電流の効果で、水などが活性化される。これまで、トルマリン単独で液体の活性化に用いたものは、特許文献１など多数存在する。また、特許文献２では、トルマリンと貴金属を共存させたもの、特許文献３では磁石、特許文献４ではトルマリンと磁石を共存させたものによる水の処理方法が示されているが、活性化の程度は液体とトルマリンの相対運動の程度に依存し、かつその効果は時間とともに低下するので、人体への効果が安定しないという問題がある。
【特許文献１】特開２００４−１３００４７４７号公報
【特許文献２】特開２０００−１６９９１７号公報
【特許文献３】特開２００４−１２１７９１号公報
【特許文献４】特願平１１−３７４１４２号公報
【考案の開示】
【考案が解決しようとする課題】
【０００５】
本考案は、水などの液体を人間にとって健康的なものにするために、もっとも効率的に酸化還元電位を下げた状態で人間が飲めるようにすることを課題としている。
【課題を解決するための手段】
【０００６】
上記の課題を解決するための手段の第１は、通常のボトルの口に取り付けられ、かつ着脱が容易な筒状物（３−１，３−２）の中に、トルマリンと、植物燃焼によって生じた灰を含む粒状成型物（１）を、銀の線あるいは銀メッキした線で作ったかご状容器（２−１，２−２）に収めて設置することで、ボトルから液体をそそぐ時に液体を活性化するための器具とすることである。
【０００７】
手段の第２は、銀あるいは銀メッキしたもので作られている、通常のボトルの口に着脱容易な筒状物（３−１，３−２）の中に、トルマリンと、植物燃焼に生じた灰を含む粒状成型物（１）を、銀の線あるいは銀メッキした線で作ったかご状容器（２）に収めて設置し、ボトルから液体をそそぐ時に液体を活性化するための器具とすることである。
【０００８】
手段の第３は、トルマリンと、植物燃焼によって生じた灰を含むものから作られた、その内部を液体が通過できるようにした成型物（４）を、銀あるいは銀を含むもので作られた、通常のボトルの口に取り付けられ、かつ着脱容易な筒状物（３−１，３−２）の中に設置することで、ボトルから液体をそそぐ時に液体を活性化するための器具とすることである。
【考案の効果】
【０００９】
本考案の３つの請求項の共通的効果は、液体が通常のボトルから注がれる時、すなわち、人体に入る直前に以下の反応が平行して起こり、液体が活性化されることである。
（１）液体がトルマリンを含む層の間を通過することで引き起こされた相体運動によって、電流が励起され液体が活性化される。
（２）銀は極めて優れた電気伝導体であるが、これが共存することで、トルマリンによって励起される電流が増幅される。
（３）植物燃焼によって生じた灰に含まれている各種のミネラル成分、すなわちカリウム、マグネシウム、ナトリウム、鉄などが陽イオンとして液体に溶け込み、これが、トルマリンによって励起された電流による活性化効果、すなわち液体の電子を与える力を拡大し、かつ維持するのに役立つ。
そして、その活性化された状態からあまり時間をおかずに人体に飲料として持ち込まれて効果を発揮することができる。さらに、通常のボトルに取り付けた状態で、ボトルの扱いについて不便を生じないように配慮されている。また、トルマリンと、植物燃焼によって生じた灰の効果は、時間とともに低下する傾向にあることから、必要な時点の容易に取替えができるようになっている。
【００１０】
具体的には、請求項１の方法では、それを、トルマリンと、植物の燃焼によって生じた灰を混合して粒状（１）に成型し、それを銀の線あるいは銀メッキした線で作ったかご状容器（３−１，３−２）に入れ、ボトル（５）の出口に設置することによって可能にしている。
【００１１】
請求項２では、さらに、そのかご状容器（２−１，２−２）を、銀あるいは銀を含むもので作られた筒状物（３−１，３−２）の中におくことによって効果を増している。
【００１２】
請求項３では、トルマリンと、植物の燃焼によって生じた灰から作られた成型物（４）の中を液体が通過し、銀の作用は、銀あるいは銀を含むもので作られた筒状物によって発揮させることで、それを可能にしている。
【考案を実施するための最良の形態】
【００１３】
図１は、トルマリンと、植物燃焼によって生じた灰を含む粒状成型物（１）を、銀の線あるいは銀メッキした線で作ったかご状容器（２−１，２−２）に収めた状態を示す。かご状容器の形状は円筒状であるが、上部と下部で径が同じの場合（２−１）（図１（a））、上部の方が径が大きい場合（２−２（図１（ｂ））がある。いずれも、この容器の上部は開閉できるようになっており、成型物の取替えが容易に行えるような構造になっている。かご状容器は、銀の線だけでなく、銀めっきした線であってもよい。
【００１４】
トルマリンは粒あるいは粉状のものを用い、これを植物燃焼によって生じた灰と混合する。トルマリンと灰の混合割合は、重量比でトルマリン／灰  ＝１〜５が適正である。これに水および少量の粘結剤を加えて造粒する。なお、造粒後、９００℃以下の温度に加熱して焼結させてもよい。なお、造粒後、７００℃以上に加熱しない場合は、トルマリンと灰のほかに、ゼオライト粉を３０重量％以下加えることで、液体中の陰イオンを吸着して、浄化と酸化還元電位の低下を促進することができる。なお、粒状成型物（１）の直径は２〜４ｍｍ程度が適正である。
【００１５】
このかご状容器（２−１，２−２）を、通常のボトル（５）の口に取り付けるには２つの方法がある。その第一は、図２（a）に示すように通常のボトルの口に、下部筒状物（３−１−１）をねじ込んで、その中にかご状容器（１）を収め、その上に上部筒状物（３−１−２）をねじ込んでとめる方法である。この場合、下部筒状物（３−１−１）は外径が高さ方向で一定であり、内部に設けたネジ部の上方に、かご状容器を支える出っ張り部（９）が設けられている。また、上部筒状物（３−１−２）の径は、高さ方向に小さくすることによって、傾けた時にかご状容器が移動しないようになっている。飲む時は、キャップ（７）をはずす。この形状の筒状物（３−１）は、ボトルの上部に筒を取り付けても使用に支障がない場合に用いられる。
【００１６】
一方、ボトル（５）の上部に筒状物（３−１）を取り付けるのが使用上、好ましくない時には、かご状容器（２−２）および筒状物（３−２）が、図２（ｂ）に示すような方法で収められる。すなわち、円筒状の容器（３−２）がボトル（５）の内部に装入され、それに粒状成型物（１）を収めたかご状容器（２−２）が収められている。円筒状の容器（３−２）は、パッキン（１０）を介して留め具（６）によって、ボトル（５）の口に固定される。そして、キャップ（７）が留め具（６）に取り付けられる。なお、図２（ｂ）には、かご状容器として径が上に行くほど大きくなる場合を示したが、それとは異なり、径が同じものを用いることもできる。この場合には、筒状物の径も一定にし、かつその先端に出っ張りを設ける必要がある。
【００１７】
筒状容器（３−１，３−２）は、かご状容器（２−１，２−２）が銀あるいは銀メッキした線で作られている場合には、プラスチックや銅などの金属であってもよいが、その場合にも、銀あるいは銀メッキしたもので作られていると液体活性化の程度を増加することができる。
【００１８】
一方、筒状容器（３−１，３−２）が銀あるいは銀メッキしたもので作られている場合には、トルマリンと、植物燃焼によって生じた灰を含むものを用いて、内部を液体が通過できるようにした成型物（４）を用いることもできる。筒状物がボトルの外部に取り付けられる場合には、図３に示すように、まずボトルの口に上記の成型物（４）を置き、その上に筒状容器（３−１）をセットすればよい。筒状物がボトルの内部に装入される場合には、図２（ｂ）」のかご状容器（２−２）を成型物（４）に代えればよい。
【実施例１】
【００１９】
トルマリン（直径１ｍｍ以下）と、樹木の枝・葉を焼いて造った灰を、重量比で、４：１の割合で混合して、５％の粘結剤を加えて直径３〜４ｍｍに造粒した。これを、銀の線で編んだかご状容器に１５ｇ入れて、ブラスチック製の円筒容器に収めた。ボトルの外部に取り付け、酸化還元電位プラス２２５ｍVの水を処理して、注がれた水の酸化還元電位はマイナスー４５ｍVにすることができた。  
【実施例２】
【００２０】
トルマリン（直径１ｍｍ以下）、樹木の枝・葉を焼いて造った灰、ゼオライト（直径１ｍｍ以下）を、重量比で３：１：１の割合で混合して、５％の粘結剤を加えて直径３〜４ｍｍに造粒した。これを、銀の線で編んだかご状容器に１５ｇ入れて、ブラスチック製の円筒容器に収めた。これをボトルの内部に装入して、酸化還元電位プラス２１０ｍVの水を処理して、注がれた水の酸化還元電位をマイナスー１５ｍVにすることができた。  
【実施例３】
【００２１】
トルマリン（直径１ｍｍ以下）、樹木の枝・葉を焼いて造った灰、ゼオライト（直径１ｍｍ以下）を、重量比で、４：１：１の割合で混合して、５％の粘結剤を加えて直径３〜４ｍｍに造粒した。これを加熱しないままで、銀の線で編んだかご状容器に１５ｇ入れて、銀製の円筒容器に収めた。これをボトルの外部に取り付け、酸化還元電位プラス２５０ｍVの水を処理して、注がれた水の酸化還元電位はマイナスー１５５ｍVであった。
【実施例４】
【００２２】
トルマリン（直径１ｍｍ以下）、樹木の枝・葉を焼いて造った灰、ゼオライト（直径１ｍｍ以下）を、重量比で４：１：１の割合で混合して、５％の粘結剤を加えて直径３〜４ｍｍに造粒した。これを、銀の線で編んだかご状容器に１５ｇ入れて、銀製の円筒容器に収めた。これをボトルの内部に挿入し、酸化還元電位プラス３５０ｍVの水を処理して、注がれた水の酸化還元電位はプラス５５ｍVであった。
【実施例５】
【００２３】
トルマリン（直径１ｍｍ以下）、樹木の枝・葉を焼いて造った灰、ゼオライト（直径１ｍｍ以下）を、重量比で、４：１：１の割合で混合して、５％の粘結剤を加えて直径３〜４ｍｍに造粒した。これを、銀メッキした線で編んだかご状容器に１５ｇ入れて、銀メッキした円筒容器に収めた。これをボトルの内部に挿入し、酸化還元電位プラス５３０ｍVの水を処理して、注がれた水の酸化還元電位はプラス９５ｍVであった。
【実施例６】
【００２４】
トルマリン（直径１ｍｍ以下）、樹木の枝・葉を焼いて造った灰、ゼオライト（直径１ｍｍ以下）を、重量比で、４：１の割合で混合して、５％の粘結剤を加えて図３で径が１ｍｍの穴を９個貫通させた成型物を作り、５００℃で焼成した。これを、銀の円筒容器に収め、ボトルの外部に取り付けた。酸化還元電位プラス１５０ｍVの水を処理して、注がれた水の酸化還元電位はマイナスー１１０ｍVにすることができた。
【産業上の利用可能性】
【００２５】
本考案は、通常のボトル以外の液体収納容器とも組み合わせて用いることができる。
【図面の簡単な説明】
【００２６】
【図１】銀あるいは銀メッキした線で作ったかご状容器（２−１，２−２）に収めた粒状成型物（１）を示す斜視図   (a)  かご状容器の上部と下部で径が同一の場合     (b)  かご状容器の上部の径が大きい場合
【図２】ボトル（５）の口への筒状物（３−１，３−２）の取り付け方を示す斜視図(a)  筒状物（３−１）がボトル（５）の外部に取り付けられた場合      (b)  筒状物（３−２）がボトル（５）の内部に取り付けられた場合
【図３】トルマリンと、植物燃焼によって生じた灰を含むものから作られた、内部を液体が通過できるような成型物（４）を、筒状物（３−１）の中に設置した状況を示す斜視図
【符号の説明】
【００２７】
１．        トルマリンと、植物燃焼によって生じた灰を含む粒状成型物
２−１．    銀の線あるいは銀メッキした線で作ったかご状容器（上部と下部で径が同じの場合）
２−２．    銀の線あるいは銀メッキした線で作ったかご状容器（上部の方が径が大きい場合）
３−１．    筒状物  （ボトル外部取り付け型）
３−１−１．下部筒状物
３−１−２．上部筒状物
３−２      筒状物  （ボトル内部装入型）
４．        トルマリンと、植物燃焼によって生じた灰を含むものから作られた、内部を液体が通過できるような成型物
５．        ボトル
６．        留め具
７．        キャップ
８．        液体
９．        出っ張り部
１０．      パッキン
【図１】
0003119457.tif 000003
【図２】
0003119457.tif 000004
【図３】
0003119457.tif 000005
【手続補正書】
【提出日】平成17年12月6日(2005.12.6)
【手続補正１】
【補正対象書類名】実用新案登録請求の範囲
【補正対象項目名】全文
【補正方法】変更
【補正の内容】
【実用新案登録請求の範囲】
【請求項１】
ボトルの口に着脱可能な筒状物（３−１，３−２）の中に、トルマリンと、植物燃焼によって生じた灰を含む粒状成型物（１）を、銀の線あるいは銀メッキした線で作ったかご状容器（２−１、２−２）に収めて設置することを特徴とする、飲料用液体を活性化するための器具。
【請求項２】
請求項１において、ボトルの口に着脱可能な筒状物（３−１，３−２）が銀あるいは銀メッキしたもので作られていることを特徴とする、飲料用液体を活性化するための器具。
【請求項３】
トルマリンと、植物燃焼によって生じた灰を含むものから作られた、内部を液体が通過できるような成型物（４）を、銀あるいは銀を含むもので作られた、ボトルの口に着脱可能な筒状物（３−１，３−２）の中に設置することを特徴とする、飲料用液体を活性化するための器具。